(57)【特許請求の範囲】
【請求項１】
断面円形のストラップ（２）の両末端に取り付けられる雌雄部材（３、４）からなり、
前記雄部材（４）は、雄部材本体（４１）と、この雄部材本体から突出する係合突起（４２）からなり、前記雄部材本体（４１）は、前記ストラップ（２）とほぼ等しい外径を有し、後方側に前記ストラップ（２）の末端を収容する収容部（４３）が形成されており、前記係合突起（４２）は、細長い円柱部（４６）と、その先端に位置する球体（４７）からなり、
前記雌部材（３）は、雌部材本体（３１）からなり、この雌部材本体は前記ストラップ（２）とほぼ等しい外径を有し、前記係合突起（４２）を受容する受け部（３２）と、ストラップ末端を収容する収容部（３３）が形成されており、前記受け部（３２）は、前方が開放されると共に弾性リング（３４）が嵌められており、この弾性リング（３４）の中央孔（３５）の直径は、前記先端球体（４７）の直径よりもやや小さく、前記弾性リング（３４）の幅は、前記係合突起（４２）の前記細長い円柱部（４６）の長さとほぼ等しいものであり、
前記ストラップの各末端を収容する前記雌部材本体（３１）の収容部（３３）及び前記雄部材本体（４１）の収容部（４３）において、前記ストラップ（２）の各末端をそれぞれ金属リング（３８，４８）で締め上げて直径を減ずると共に、これらの金属リング（３８，４８）のすぐ後ろで、前記雌部材本体（３１）の端部壁（３９）及び前記雄部材本体（４１）の端部壁（４５）が内方へかしめられているものである
ことを特徴とするストラップ連結具。
【請求項２】
断面円形のストラップ（２）の両末端に取り付けられる雄部材（４、４）と両者を結合する中間雌部材（５）からなり、
前記雄部材（４）は、雄部材本体（４１）と、この本体から突出する係合突起（４２）からなり、前記雄部材本体（４１）は、前記ストラップ（２）とほぼ等しい外径を有し、後方側に前記ストラップ（２）の末端を収容する収容部（４３）が形成されており、前記係合突起（４２）は、細長い円柱部（４６）と、その先端に位置する球体（４７）からなり、
前記中間雌部材（５）は、中空本体（５１）からなり、前記係合突起（４２）を受容する受け部（５６、５７）を前記中空本体（５１）の両端に有し、前記各受け部（５６、５７）には弾性リング（５２、５３）が嵌められており、この弾性リング（５２、５３）の中央孔（５９，６０）の直径は、前記先端球体（４７）の直径よりもやや小さく、前記弾性リング（５２、５３）の幅は、前記係合突起（４２）の前記細長い円柱部（４６）の長さとほぼ等しいものであり、
前記ストラップの各末端を収容する前記雄部材本体（４１）の収容部（４３）において、前記ストラップ（２）の各末端をそれぞれ金属リング（４８）で締め上げて直径を減ずると共に、これらの金属リング（４８）のすぐ後ろで、前記雄部材本体（４１）の端部壁が内方へかしめられているものである
ことを特徴とするストラップ連結具。
【請求項３】
前記弾性リング（３４）は、前記雌部材本体（３１）の前記受け部（３２）の中で、内側へかしめられた前記受け部（３２）の最前部（３６）のために入口の外へ抜け出すことができず、前記受け部（３２）のすり鉢状の後部（３２ａ）のために奥へ移動することができないように設定されている請求項１記載のストラップ連結具。
【請求項４】
前記ストラップ末端を収容する前記収容部（３３，４３）が、前記雌雄部材（３、４）とも同じ構造である請求項１又は２に記載のストラップ連結具。
【発明の詳細な説明】
【技術分野】
【０００１】
本発明はストラップ端部の連結具に関する。
【背景技術】
【０００２】
ネックストラップ等の両端部を開閉する連結具には、さまざまなものが知られている（例えば、下記特許文献１〜５参照）。それらは、要するに、ストラップ端部に雌雄部材を設け、雄部材を雌部材に着脱自在に組み合わせることを特徴としている。
【特許文献１】特開平７−３１３２１２号公報
【特許文献２】特開２０００−７９００５公報
【特許文献３】特開２００４−３４４４０４公報
【特許文献４】特開２００１−２７５７２５公報
【特許文献５】実用新案登録第３０６９８０１号公報
【発明の開示】
【発明が解決しようとする課題】
【０００３】
特許文献１及び２では、テープ状のストラップを対象としており、断面が円形のストラップには取り付けにくいものであった。その点、特許文献３は、断面が円形のストラップを対象とするが、ストラップ末端を丸めて抜け止めとするため、比較的に直径の大きなストラップには適用できないという欠点がある。
【０００４】
さらに、特許文献４（図５，６）と特許文献５（図１２）にも、断面が円形のストラップを対象とする連結具が示されている。これらは、金属等の硬質素材からなり、先端に膨出部を有する雄部材と、嵌合凹部を有する弾性素材からなる雌部材を各ストラップの先端に有する。
【０００５】
これらはいずれも複数実施例のうちの１つとして完成状態の外観だけが示されているが、それらの内部構造が全く不明であって、発明が十分に開示されていない。
【０００６】
本発明は、従来技術の問題点を解決し、比較的に直径の大きな円形断面のストラップにも適用でき、雌雄連結具とストラップの径をほぼ等しくして、美感を向上させたストラップ連結具を提供することを目的とする。
【課題を解決するための手段】
【０００７】
本発明のストラップ連結具は、第１の観点では、断面円形のストラップの両末端に取り付けられる雌雄部材からなり、前記雄部材は、雄部材本体と、この雄部材本体から突出する係合突起からなり、前記雄部材本体は、前記ストラップとほぼ等しい外径を有し、後方側に前記ストラップの末端を収容する収容部が形成されており、前記係合突起は、細長い円柱部と、その先端に位置する球体からなり、前記雌部材は、本体からなり、この本体は前記ストラップとほぼ等しい外径を有し、前記係合突起を受容する受け部と、ストラップ末端を収容する収容部が形成されており、前記受け部は、前方が開放されると共に弾性リングが嵌められており、この弾性リングの中央孔の直径は、前記先端球体の直径よりもやや小さく、前記弾性リングの幅は、前記係合突起の前記細長い円柱部の長さとほぼ等しいものであり、前記ストラップの各末端を収容する前記雌部材本体の収容部及び前記雄部材本体の収容部において、前記ストラップの各末端をそれぞれ金属リングで締め上げて直径を減ずると共に、これらの金属リングのすぐ後ろで、前記雌部材本体の端部壁及び前記雄部材本体の端部壁が内方へかしめられているものであることを特徴とする。
【０００８】
第２の観点では、本発明のストラップ連結具は、断面円形のストラップの両末端に取り付けられる雄部材と両者を結合する中間雌部材からなり、前記雄部材は、雄部材本体と、この雄部材本体から突出する係合突起からなり、前記雄部材本体は、前記ストラップとほぼ等しい外径を有し、後方側に前記ストラップの末端を収容する収容部が形成されており、前記係合突起は、細長い円柱部と、その先端に位置する球体からなり、前記中間雌部材は、中空本体からなり、前記係合突起を受容する受け部を前記本体の両端に有し、前記各受け部には弾性リングが嵌められており、この弾性リングの中央孔の直径は、前記先端球体の直径よりもやや小さく、前記弾性リングの幅は、前記係合突起の前記細長い円柱部の長さとほぼ等しいものであり、前記ストラップの各末端を収容する前記雄部材本体の収容部において、前記ストラップの各末端をそれぞれ金属リングで締め上げて直径を減ずると共に、これらの金属リングのすぐ後ろで、前記雄部材本体の端部壁が内方へかしめられているものであることを特徴とする。
【発明の効果】
【０００９】
本発明によれば、雌雄連結具は共に、断面円形のストラップとほぼ等しい外径を有するので、美感の上で優れ、高級感を醸し出すことができる。また、ストラップ末端を丸めて抜け止めとするようなことがないので、比較的に太いストラップにも適用することができる。
【発明を実施するための最良の形態】
【００１０】
雌雄連結部材及び中間雌部材は、それぞれ金属製とすることが好ましい。このようにすることにより、ストラップとの接続が確かなものとなると共に高級感を出しやすくなる。これらの部材は、ストラップと同様に断面円形であるのが好ましいが、四角形以上の多角形でも目的は達せられる。
【００１１】
ストラップ末端を収容する収容部は、雌雄連結具とも同じ構造とすることが好ましい。ストラップ末端は、金属リングできつく締め上げて直径を減ずると共に、この金属リング端部を雌雄連結具の端部壁でかしめることが好ましい。このようにすることにより、雌雄連結具の外径とストラップの外径をほぼ等しくすることが可能となり、しかも、この金属リングがストッパーとなり抜け止めの役割を果たすことになる。
【００１２】
前記弾性リングは、受け部の中で、内側へかしめられた最前部のために入口の外へ抜け出すことができず、すり鉢状の後部のために奥へ移動することができないように設定するのが好ましい。このようにすることにより、弾性リングの位置が安定し、雌雄連結具を接合させたときも両者がほぼ直線的に並び、美感を高めることができる。
【００１３】
以下、添付の図面に基づき、本発明の実施例を説明する。
【実施例１】
【００１４】
図１は、本発明の１実施例に係るネックストラップ１の全体正面図である。ストラップ２末端には、雌雄連結具３，４が取り付けられている。ストラップ２は断面円形の組紐である。図２はその雌雄連結具の拡大図であり、図３はその断面図である。
【００１５】
図２、図３に示すように、雄部材４は金属製で、円柱状本体４１と、この本体から突出する係合突起４２からなる。
【００１６】
本体４１はストラップとほぼ等しい外径を有し、ストラップの末端を収容する収容部４３が形成されている。この収容部４３は、後方が開放された円柱状の窪みであり、窪みの底４４はすり鉢状になっている。ストラップ末端には予め、金属製リング４８が嵌めこまれており、このリング４８のすぐ後ろで本体の端部壁４５が内方へかしめられている。このリング４８は、ストラップ２末端を縛り上げることにより、その直径を小さくすると共に、かしめられた本体端部壁４５に対するストッパーとして機能する。その結果、ストラップ末端は雄側本体４に対して緊密に固定されている。
【００１７】
係合突起４２は、細長い円柱部４６と、その先端の球体４７からなる。
【００１８】
雌部材３も金属製で、円柱状本体３１からなる。
【００１９】
この本体３１はストラップ２とほぼ等しい直径を有し、前記係合突起４２を受容する受け部３２と、ストラップ末端の収容部３３が形成されている。受け部３２は、前方が開放された円柱状であり、受け部３２の入口付近には弾性リング３４が嵌められており、後部はすり鉢状になっている。
【００２０】
弾性リング３４は、受け部３２の中で、内側へかしめられた最前部３６のために入口の外へ抜け出すことができず、すり鉢状の後部３２ａのために奥へ移動することができない。弾性リング３４の中央孔３５の直径は、前記雄部材４の先端球体４７の直径よりもやや小さい。弾性リング３４の幅は、前記係合突起の細長い円柱部４６の長さとほぼ等しい。弾性リング３４は、例えばウレタン樹脂で成形される。
【００２１】
収容部３３は、後方が開放された円柱状の窪みであり、この窪みの底３７はすり鉢状になっている。ストラップ末端には予め、金属製リング３８が嵌めこまれており、このリングのすぐ後ろで本体の端部壁３９が内方へかしめられている。このリング３８は、ストラップ２を縛り上げることにより、その外径を小さくすると共に、かしめられた本体端部壁３９に対するストッパーとして機能する。その結果、ストラップ末端は雄側本体３１に対して緊密に固定されている。
【００２２】
本発明のストラップ連結具を使用して連結するには、図３（ａ）に示す状態から、図３（ｂ）の状態になるまで、指で押し込めばよい。そのとき、雄部材４の係合突起４２が雌部材３の受け部３２の弾性リング３４を変形させながら前進し、貫通状態で球体４７のみが弾性リング３４を抜け出す。抜け出た状態では、球体４７が抜け止めとなって、容易には分離しない。しかし、着用者が連結具を指で引き離せば外れる程度の結合の強さである。そのため、事故でネックストラップが機械にはさまれるようなことがあれば、即座に分離可能である。
【実施例２】
【００２３】
図４は本発明の第２実施例に係るネックストラップの雌雄連結具の拡大図である。この第２実施例では、ストラップの両端が雄部材であり、つなぎのために中間雌部材を用いる。
【００２４】
図４において、ストラップの両末端に取り付ける雄部材は、第１実施例と同様であるので、説明は省略する。
【００２５】
雌部材となる中間雌部材５は、両端が受け部５６、５７となった円柱状の本体５１を有する。受け部５６、５７の両端入口付近には弾性リング５２、５３が嵌められており、後部５６ａ，５７ａはすり鉢状になっている。
【００２６】
弾性リング５２，５３は、受け部５６，５７の中で、内側へかしめられた最前部５４，５５のために入口の外へ抜け出すことができず、すり鉢状の後部５６ａ，５７ａのために奥へ移動することができない。弾性リング５２，５３の中央孔５９，６０の直径は、前記雄部材４の先端球体４７の直径よりもやや小さい。弾性リング５２，５３の幅は、前記係合突起の細長い円柱部４６の長さとほぼ等しい。弾性リング５２，５３は、例えばウレタン樹脂で成形される。
【００２７】
この実施例のストラップ連結具を使用するには、中間雌部材５を介して、ストラップ両末端の雄部材と係合させる点が第１実施例と異なる。中間雌部材５は連結時にその都度取り出して嵌めてもよいし、ストラップ両末端の雄部材のいずれか一方と連結させ続けておくこともできる。
【図面の簡単な説明】
【００２８】
【図１】本発明の第１実施例に係るネックストラップの全体正面図である。
【図２】雌雄連結具の拡大図である。
【図３】雌雄連結具の断面図である。（ａ）は結合前、（ｂ）は結合後を示す。
【図４】本発明の第２実施例に係るネックストラップの雌雄連結具の拡大図である。
【符号の説明】
【００２９】
１     ネックストラップ
２     ストラップ
３     雌部材
４     雄部材
３１   円柱状本体
３２   受け部
３３   ストラップ末端収容部
３４   弾性リング
３５   中央孔
３８   金属製リング
４１   円柱状本体
４２   係合突起
４３   ストラップ末端収容部
４６   円柱
４７   球体
４８   金属製リング
５     中間雌部材
５２、５３  金属リング
５６，５７  受け部
【図１】
0004559330.tif 000002
【図２】
0004559330.tif 000003
【図３】
0004559330.tif 000004
【図４】
0004559330.tif 000005